【事件の表示】
　特願２００１−８２９８３「動物捕獲装置」拒絶査定不服審判事件〔平成１４年９月２４日出願公開、特開２００２−２７２３５１〕について、次のとおり審決する。
【結　論】
　本件審判の請求は、成り立たない。
【理　由】
１．手続の経緯
　本願は、平成１３年３月２２日の出願であって、平成１６年１０月８日付で拒絶査定がなされ、これに対し、同年１１月８日に拒絶査定不服審判の請求とともに手続補正がなされたものである。
　
２．平成１６年１１月８日付手続補正についての補正却下の決定
［補正却下の決定の結論］
　　平成１６年１１月８日付手続補正を却下する。
［理由］
（１）補正後の本願発明
　本件補正により、請求項１は、
「【請求項１】箱形の捕獲用ケージと、ケージの入口に設けられた落下式扉と、一端部が扉に止着されて、扉の上方に設けたシーブに掛装される扉吊上用索体と、一端部がケージに止着されて、ケージ内に侵入した動物が引っ掛かるようにシーブを介して張設される動物引掛用索体と、ケージの入口が開放するように扉を所定高さ吊り上げた扉吊上用索体の他端部と緊張した動物引掛用索体の他端部とを連結し、この連結状態で侵入動物が動物引掛用索体に引っ掛かることによってその索体の張力が一定以上になった時両索体の他端部を互いに切り離して扉を落下させる索体連結手段と、からなり、
　前記索体連結手段は、一対の竪杆と両竪杆をつなぐ水平杆とからなる支持枠をケージの上部に設け、第１連結棒の一端部側に前記扉吊上用索体の他端部を止着すると共に、第２連結棒の長さ方向中央部に前記動物引掛用索体の他端部を止着し、扉を所定高さ吊り上げた扉吊上用索体の他端部を支持枠の水平杆にその外側から下向きに回した状態で第１連結棒の一端部を水平杆の内側に当接させて、第１連結棒の他端部側に外向きの回転付勢力を与え、この回転付勢力により水平姿勢の第２連結棒を水平杆の下方で支持枠の両竪杆に内側から圧接することによって、両索体の他端部どうしを連結するようにしてなり、
　且つ前記捕獲用ケージの対向する２箇所に入口を設けて、両入口に夫々落下式扉を設けると共に、扉吊上用索体、動物引掛用索体及び索体連結手段を、両入口の対向方向中間部の支持枠を中心としてその両側に夫々配備してなることを特徴とする動物捕獲装置。」
と補正された。（以下、「補正発明」という。）
　　　　　　　　　　　
　上記補正は、特許請求の範囲の減縮を目的とするものである。 
　そこで、補正発明が特許出願の際独立して特許を受けることができるものであるかについて以下に検討する。
　　　　　　　　　　　　
（２）引用刊行物
　原査定の拒絶の理由に引用された、本願出願前に頒布されている刊行物である、登録実用新案第３０６８８４６号公報（発行日：平成１２年５月２６日、以下、「引用文献１」という。）には、「可搬式野生動物捕獲器」に関して、以下の事項が図面とともに記載されている。
　(ア)「【００１０】室（方形躯体）１は、鋼製枠２の金網パネル21,22,23をボルト25締結により組付けて側壁21、床（設置底面）22、及び天井23からなる檻又は籠として使用可能に形成する。図示した室１の規模は、低面積が３[2×1.5]平方メートルで高さが１メートルであるが、特に、猪の捕獲を考慮して、高さ方向に側壁21を継ぎ足して２メートル程度とする場合もある。〔図示省略〕【００１１】そして、側壁21の１か所に昇降自在な扉３を備えた入口枠４を設けるとともに、設置面近く（地上約５cm）の床（設置底面）22上に仕掛け線条６を敷設して仕掛け装置５の可動部材53に連結し、該可動部材53に係合している係合回転部材54と入口枠４の上部に位置する扉３とを吊り線条８により入口枠４の上部に取り付けた滑車７を介して連結し、扉３の下に野生動物を誘導する入口９を形成している。入口枠４の上部構造はステー要素24により支持する。【００１２】仕掛け装置５は、固定板51と、該固定板51から差し出した一対のブラケット部材52と、該外ブラケット部材52間に回動支持した係合回転部材54と、該ブラケット部材52に形設した長孔521 に両端を遊挿して架設した可動部材53と、一のブラケット部材52の外側面に弾性体551 により付勢して回動支持した槓桿レバー55を有して天井23の横断枠材231 に固設される。【００１３】また、仕掛け線条６は、入口枠４から奥行きの半ば以上離れた位置の一方の側壁21に一端を固定し、内幅方向に張架して他方の側壁21近くに設けた滑車７を介して方向変換し、かつ、奥の側壁枠材（柱要素）211 に設けた滑車７を介してさらに方向変換して槓桿レバー55に繋設される。【００１４】組立て完了後、扉３を開口状態におく場合、槓桿レバー55は下半部端面が可動部材53に当接して起立し、係合回転部材54は突体541 を有し可動部材53をまくらとして係合し仮固定されており、係合回転部材54を結節始端とする吊り線条８は可動部材53の上面に押圧接触して扉３の結節終端を指向して張設され可動部材53の定置を補助している。【００１５】すなわち、吊り線条８の張力（扉３の重量による）により可動部材53を押さえつけて、ブラケット部材52の長孔521 の上位端に定置（セット）し、下に落とさないように架設状態を維持している。換言すれば、可動部材53と係合回転部材54の係止固定により吊り線条８で扉３を吊り上げている。【００１６】この構成により、室１内に侵入した野生動物が敷設部分の仕掛け線条６の張線状態を変動させると、槓桿レバー55が弾性体551 の付勢に抗して傾動し、可動部材53が長孔521 を落下移動して係合回転部材54との係合が解かれ、係合回転部材54が回転して吊り線条８が弛緩し、入口枠４に沿って扉３が下降し入口９を閉鎖する扉遮断機構を有したものとなる。」
　　　　　　　　　　　　
　上記(ア)の記載事項及び図面によれば、引用文献１には次の発明が記載されているものと認める。〔〕かっこ内は対応する引用文献１における構成・用語である。
「箱形の捕獲用ケージ〔室（方形躯体）１〕と、ケージの入口に設けられた落下式扉〔扉３〕と、一端部が扉に止着されて、扉の上方に設けたシーブ〔滑車７〕に掛装される扉吊上用索体〔吊り線条８〕と、一端部がケージに止着されて、ケージ内に侵入した動物が引っ掛かるようにシーブを介して張設される動物引掛用索体〔仕掛け線条６〕と、ケージの入口が開放するように扉を所定高さ吊り上げた扉吊上用索体の他端部と緊張した動物引掛用索体の他端部とを連結し、この連結状態で侵入動物が動物引掛用索体に引っ掛かることによってその索体の張力が一定以上になった時両索体の他端部を互いに切り離して扉を落下させる索体連結手段〔仕掛け装置５〕と、からなり、索体連結手段はケージの上部に設けてなる動物捕獲装置〔可搬式野生動物捕獲器Ｘ〕。」
（以下「引用発明」という。）
　　　　　　
　同じく、原査定の拒絶の理由に引用された、本願出願前に頒布されている刊行物である、実願平４−８６２１３号（実開平６−４１４８６号）の願書に最初に添付した明細書及び図面の内容を記録したCD-ROM（以下、「引用文献２」という。）には、「野生動物捕獲柵」に関して、以下の事項が図面とともに記載されている。
　(イ)「【０００６】尚、仕掛け装置５を説明すると、図２に示す如く、地面に打ち込んだ杭１０，１０，・・に固定した固定枠５ｃで基台を形成し、該固定枠５ｃから、後方にやや傾いた門型の固定部材５ｄを立設し、固定部材５ｄの柱状部分に、一端付近を回動自在に支持した可動部材５ａを横方向に設置し、可動部材５ａの他端部に仕掛け線条６を連結し、吊り線条８に連結した係合部材５ｂを、固定部材５ｄの横梁状部分の裏側に上から通して表側まで回し、吊り線条８の扉３の重量による張力により、該横梁状部分と可動部材５ａを押さえつけて、可動部材５ａを下に落とさないようにセットしている。【０００７】逆に言えば、固定部材５ｄの横梁状部分と可動部材５ａとにより、係合部材５ｂを係止し、すなわち、吊り線条８で扉３を吊り上げている。【０００８】仕掛け線条６及び吊り線条８は、ともに弛みなくピンと張られており、仕掛け線条６の地面に沿っている部分は、できるだけ目立たないように草や落ち葉等で隠すものであり、さらに幅方向に張設した部分より奥の方に、さつま芋等の動物が好む餌１１を植えておく。（この餌１１は置く場合もある）【０００９】以上の構成によって、野生動物が、囲い柵１内に餌におびき寄せられて入口９から入り、仕掛け線条６に足を引っかけて、この仕掛け線条を引っ張ると、可動部材５ａの仕掛け線条６に連結した側が、仮想線で示す如く下に引き落とされ、それにより係合部材５ｂが仕掛け装置から外れて自由となり、吊り線条８と連結している扉３が、自重により落下して入口９を塞ぐ。」
　　　　　　　　　　　　
　上記(イ)の記載事項及び図面によれば、引用文献２には次の技術が記載されているものと認める。かっこ内は対応する引用文献２における構成・用語である。「一対の竪杆(固定部材５ｄの柱状部分)と両竪杆をつなぐ水平杆(固定部材５ｄの横梁状部分)とからなる支持枠(固定部材５ｄ)を設け、第１連結棒(係合部材５ｂ)の一端部側に扉吊上用索体(吊り線条８)の他端部を止着すると共に、第２連結棒(可動部材５ａ)の長さ方向に動物引掛用索体(仕掛け線条６)の他端部を止着し、扉(扉３)を所定高さ吊り上げた扉吊上用索体の他端部を支持枠の水平杆にその外側から下向きに回した状態で第１連結棒の一端部を水平杆の内側に当接させて、第１連結棒の他端部側に外向きの回転付勢力(張力)を与え、この回転付勢力により水平姿勢の第２連結棒を水平杆の下方で支持枠の両竪杆に内側から圧接(押さえつけ)することによって、両索体の他端部どうしを連結するようにしてなる索体連結手段(仕掛け装置５)」
　　　　　　　　
　同じく、原査定の拒絶の理由に周知例として引用された、本願出願前に頒布されている刊行物である、特開２０００−３３３５８６号公報（以下、「引用文献３」という。）には、「猪の捕獲用檻」に関して、以下の事項が図面とともに記載されている。
　(ウ)「【００１０】【実施例】図１(ａ)〜(ｃ)は本発明に係る猪捕獲用檻を示す実施例であり、(ａ)は正面図、(ｃ)は背面図、(ｂ)は側面図を表わしている。同図の１ａ，１ｂはドアを示し、一方のドア１ａは正面側に、他方のドア１ｂは背面側にそれぞれ装着されていて、しかもドア１ａ，１ｂは上下動することが出来る。ドア１ａ，１ｂの具体的な構造は特に限定しないが、四角形の枠に格子状の鉄棒を有した丈夫なものと成っている。【００１１】そして正面側及び背面側にはポール２，２…を起立すると共に、上端には上桟４を掛架して枠組され、そしてこのポール２，２…にはガイドレール３，３…を取着している。上記ドア１ａ，１ｂはこのガイドレール３，３…にガイドされて上下動することが出来る。【００１２】ドア１はワイヤー５にて吊り下げられており、ワイヤー先端は上桟４に止着され、ドア１の上端に取着している動滑車６と上桟４に取着されている固定滑車７に巻き付き、ワイヤー他端は檻本体の側面に備えている係止具に係止している。ワイヤー先端を上桟４に止着することなく、ドア１の上端に直接繋ぐこともあり、この場合には動滑車６をドア上端に備える必要はない。そして、ワイヤーの他端には係止部を設け、この係止部は係止具に係止して止着される。【００１３】ドア１はその自重にて落下しようとするが、ワイヤー５の他端が係止具に係止していることで落下を防止している。同図に示しているドア１は落下した状態にあり、檻の正面側入り口及び背面側入り口は閉ざされている。そして檻本体の側面は上下の桟８，９に複数本の鉄棒１０，１０…を一定間隔で配列した格子状となっている。また上下の桟８，９の間には補強桟１１，１１を設けて側面の強度を確保している。【００１４】ところで、上記ドア１はワイヤー５にて吊設され、落下しないようにワイヤー端の係止部が係止具に係止している。そして係止具が解除するならば係止している係止部を放し、その結果ワイヤー５は移動してドア１は落下することになる。この場合、正面側のドア１ａと背面側ドア１ｂがほぼ同時に落下するように両ドア１ａ，１ｂを吊設している両ワイヤー５ａ，５ｂは同じ係止具に係止されている。【００１５】図２はワイヤー解除装置を示している具体例であり、ワイヤー端に設けている係止部１３ａ，１３ｂは軸１４に軸支されて回転することが出来る係止具１２に係止している。すなわち、係止部１３ａ，１３ｂはワイヤー端に設けたリングにて形成され、このリングが棒状の係止具１２に嵌っていて、係止具１２の下端に形成した溝１５にはピン１６が嵌合している。【００１６】ピン１６の頭には２本の紐１７が連結し、この紐１７，１７端は反対側側壁１８に止着して張設されている。したがって張設された該紐１７に撓ませるような力Ｐが作用するならば、係止具１２の溝１５に嵌っているピン１６は外れて、該係止具１２は軸１４を中心として回転する。」
　(エ)「【００２０】【発明の効果】本発明の檻は正面側と背面側にドアを備えていて、両ドアは常に開放されている為に、猪は警戒心を持つことなく檻の中へ侵入することになる。そして檻の中には餌が置かれているが、この餌を求めて侵入した猪は床と平行して張設している紐に引っ掛かり、その結果、係止具が解除されてワイヤーが外れ、ドアは落下することになる。上記係止具には両ドアを吊設しているワイヤーが係止している為に、係止具を解除することで両ドアはほぼ同時に落下し、中に侵入した猪は閉じ込められる。」
　　　　　　　　　　　　
　上記(ウ)、(エ)の記載事項及び図面によれば、引用文献３には次の周知技術が記載されているものと認める。かっこ内は対応する引用文献３における構成・用語である。
「捕獲用ケージ(檻本体)の対向する２箇所に入口(入り口)を設けて、両入口に夫々落下式扉(ドア１ａ、１ｂ)を設けてなる動物捕獲装置(捕獲用檻)。」  
　　　　　　　　　　　　
　同じく、原査定の拒絶の理由に周知例として引用された、本願出願前に頒布されている刊行物である、特開２００１−３７４００号公報（以下、「引用文献４」という。）には、「捕獲檻」に関して、以下の事項が図面とともに記載されている。
　(オ)「【０００２】【従来の技術】捕獲用檻として、前後の各端部に開口を有し、地上に設置される角筒形の檻本体と、上記檻本体の前後の開口の上に垂直に立って支持され、垂直に降下して前後の開口を同時に塞ぐ前後一対のシャッタを備えたものは従来から公知である。…」
　(カ)「【０００５】【発明の実施の形態】図示の実施形態において、１０は前後に開口を有する角筒形の檻本体で、左右の側壁、上壁、底壁とからなる。上記各壁は太い金属角材、例えばアングル材からなる外枠１１と、外枠の内部に縦横に溶接などで固定されて四角な網目を構成する縦横の細い金属角材の格子１２とからなり、不使用時は分解してスペースをとらずに格納し、使用する際は外枠同志をビスで角筒形に組立てることができるようにしておくことが好ましい。猿、鴉などを捕獲するための檻本体の寸法の一例を記すと、左右の側壁、上壁、底壁の前後方向の長さは約１４０ｃｍ、左右の側壁の高さは約８０ｃｍ、上壁、底壁の幅は約７０ｃｍである。又、縦横の格子により形成された四角い網目は一辺が約８ｃｍ程度の正方形で、雀などの小鳥や、鼠などの小動物が網目を通って檻の内外に自由に出入りできるようにしておくことが好ましい。又、猪や熊を捕獲するため檻本体は猪や熊が入れるようにもっと大形にする。【０００６】檻本体の前後の開口の左右、つまり左右の側壁の前後の各端部に前後のシャッタ１３，１３が垂直に降下して開口を閉じるのを相対向してガイドするガイド部材１４，１４を設けておく。又、この各ガイド部材１４，１４の上には、各開口の上で垂直に立つ前後のシャッタを垂直に降下可能に支持する上部ガイド部材１５，１５を延長状に設ける。【０００７】前後のシャッタ１３も太い金属角材からなる外枠と、外枠の内部に溶接されて正方形の網目を形成する細い金属角材による縦横の格子材とで構成すればよく、その寸法は前述の檻本体の場合、高さが約８０ｃｍ、幅が約７０ｃｍであり、このシャッタを垂直に動くのを支持するガイド部材１４，１５は一連の金属チャンネル材（溝形材）で、上下方向の長さは約１５０ｃｍあればよい。この一連のガイド部材１４，１５は檻本体の左右の側壁の前後の各端部にビスで取外し可能に取付け、不使用時には外せるようにしておく。【０００８】檻本体の底壁１６と上壁１７の中心間には回転ドア２０の縦軸２１を回転自在に取付ける。縦軸２１の下端部は底壁１６の中心に溶接などで固定した上向きの盲筒２２に入れ、必要ならばベアリングで支え、上端部は上壁の中心に溶接などで下向きに固定した支持筒２３に貫通して支持し、支持筒から上に突出させる。」
　(キ)「【００１５】檻本体の下壁は地面と接触して居り、且つその側壁の格子や、前後の開口からは鼠などの小動物や、小鳥が自由に中に入って餌を食べるので捕獲対象の動物、例えば猪、鹿、猿は警戒することなく前後どちらかの開口から中に入る。そして、餌を食べている間に回転ドア２０の格子２４に触れると、回転ドアは縦軸２１と一体に回動し、これに伴って旋回腕３１も回動する。前後方向に向いていた旋回腕が回動すると、図５に示したように前後のストッパ腕３３は斜めに引かれ、ストッパ３６を溝車上に乗せたキャスタ３７はストッパと同じ向きになるように旋回し、上壁の前後からのストッパの突出量は少なくなり、旋回腕が更に回動してストッパが上壁の前後から引込むと上部ガイド部材１５，１５で垂直に降下可能に支持されていた前後のシャッタ１３，１３は自重でガイド部材１４，１４沿いに降下して前後の開口を同時に閉じ、檻本体の内部に捕獲対象の動物を生け捕りにする。ストッパ３６はキャスタの溝車に乗り、シャッタは車輪３８でストッパに乗っているので、ストッパは軽快に動く。」
　　　　　　　　　　　　
　上記(オ)〜(キ)の記載事項及び図面によれば、引用文献４には次の周知技術が記載されているものと認める。かっこ内は対応する引用文献４における構成・用語である。「捕獲用ケージ(檻本体１０)の対向する２箇所に入口(前後の開口)を設けて、両入口に夫々落下式扉(シャッタ１３，１３)を設けてなる動物捕獲装置(捕獲檻)。」
　　　　　　　　　　　　　　　　　　
（３）対比
　補正発明と引用発明とを比較すると、両者は、
「箱形の捕獲用ケージと、ケージの入口に設けられた落下式扉と、一端部が扉に止着されて、扉の上方に設けたシーブに掛装される扉吊上用索体と、一端部がケージに止着されて、ケージ内に侵入した動物が引っ掛かるようにシーブを介して張設される動物引掛用索体と、ケージの入口が開放するように扉を所定高さ吊り上げた扉吊上用索体の他端部と緊張した動物引掛用索体の他端部とを連結し、この連結状態で侵入動物が動物引掛用索体に引っ掛かることによってその索体の張力が一定以上になった時両索体の他端部を互いに切り離して扉を落下させる索体連結手段と、からなる動物捕獲装置。」
の点で一致し、以下の点で相違している。
　　　　　　　　　　　　　　
　相違点１：索体連結手段が、補正発明では「一対の竪杆と両竪杆をつなぐ水平杆とからなる支持枠をケージの上部に設け、第１連結棒の一端部側に前記扉吊上用索体の他端部を止着すると共に、第２連結棒の長さ方向中央部に前記動物引掛用索体の他端部を止着し、扉を所定高さ吊り上げた扉吊上用索体の他端部を支持枠の水平杆にその外側から下向きに回した状態で第１連結棒の一端部を水平杆の内側に当接させて、第１連結棒の他端部側に外向きの回転付勢力を与え、この回転付勢力により水平姿勢の第２連結棒を水平杆の下方で支持枠の両竪杆に内側から圧接することによって、両索体の他端部どうしを連結するようにしてなる」のに対し、引用発明では、そうなっていない点。
　相違点２：補正発明では、「捕獲用ケージの対向する２箇所に入口を設けて、両入口に夫々落下式扉を設けると共に、扉吊上用索体、動物引掛用索体及び索体連結手段を、両入口の対向方向中間部の支持枠を中心としてその両側に夫々配備してなる」のに対し、引用発明では、そうなっていない点。
　　　　　
（４）判断
　相違点１について検討する。
　引用文献２には上記のとおり「一対の竪杆と両竪杆をつなぐ水平杆とからなる支持枠を設け、第１連結棒の一端部側に扉吊上用索体の他端部を止着すると共に、第２連結棒の長さ方向に動物引掛用索体の他端部を止着し、扉を所定高さ吊り上げた扉吊上用索体の他端部を支持枠の水平杆にその外側から下向きに回した状態で第１連結棒の一端部を水平杆の内側に当接させて、第１連結棒の他端部側に外向きの回転付勢力を与え、この回転付勢力により水平姿勢の第２連結棒を水平杆の下方で支持枠の両竪杆に内側から圧接することによって、両索体の他端部どうしを連結するようにしてなる索体連結手段」という技術が示されており、この技術を引用発明に適用して補正発明の上記相違点１に係る構成のようにすることは、当業者が容易に想到しうることといえる。
　　　　　　　　　　　
　相違点２について検討する。
　引用文献３、４には上記のとおり「捕獲用ケージの対向する２箇所に入口を設けて、両入口に夫々落下式扉を設けてなる動物捕獲装置。」という周知技術が示されており、この周知技術を引用発明に適用すること、すなわち、引用発明の動物捕獲装置を二つ、背面どうしを向かい合わせて接合して、補正発明の上記相違点２に係る構成とすることは当業者が容易に想到しうることといえる。
　(なお、本願明細書には、扉吊上用索体、動物引掛用索体及び索体連結手段の複数配備に伴う効果の記載はない。また、この複数配備は、段落【０００２】でいう「従来より種々の動物捕獲装置が提案されているが、従来の装置は構造が複雑であるため、製作コストが高くつき、また故障することが多かった。本発明は、構造簡単にして、操作が容易で、動物を確実に捕獲できると共に、製作コストが安く、故障も少ない動物捕獲装置を提供することを目的とする。」に反する事項である。)
　　　　　　　　　　　
　また、補正発明の有する効果も、引用発明および従来技術の有する効果の総和以上に格別なものとは認められない。
　　　
　したがって、補正発明は、引用発明、従来技術および周知技術に基づいて当業者が容易に発明をすることができたものであるから、特許法第２９条第２項の規定により特許出願の際独立して特許を受けることができないものである。
　　　　　　　　　　　　　
（５）むすび
　以上のとおり、本件補正は、特許法第１７条の２第５項において準用する同法第１２６条第５項の規定に違反するものであるから、同法第１５９条第１項において読み替えて準用する同法第５３条第１項の規定により却下すべきものである。
　　　　　　　　　　
３．本願発明について
　平成１６年１１月８日付手続補正は上記のとおり却下されたので、本願の請求項に係る発明は、出願当初の特許請求の範囲の請求項１〜３に記載された事項により特定される、以下のとおりのものである。
「【請求項１】箱形の捕獲用ケージと、ケージの入口に設けられた落下式扉と、一端部が扉に止着されて、扉の上方に設けたシーブに掛装される扉吊上用索体と、一端部がケージに止着されて、ケージ内に侵入した動物が引っ掛かるようにシーブを介して張設される動物引掛用索体と、ケージの入口が開放するように扉を所定高さ吊り上げた扉吊上用索体の他端部と緊張した動物引掛用索体の他端部とを連結し、この連結状態で侵入動物が動物引掛用索体に引っ掛かることによってその索体の張力が一定以上になった時両索体の他端部を互いに切り離して扉を落下させる索体連結手段と、からなる動物捕獲装置。
【請求項２】、【請求項３】（記載を省略）」
（以下、請求項１記載の発明を「本願発明１」という。）　
　　　　　　　　　
（１）引用刊行物
　原査定の拒絶の理由に引用された刊行物の記載事項は、前記２．（２）に記載したとおりである。
　　　　
（２）対比・判断
　本願発明１は、前記２．で検討した補正発明を特定するために必要な事項の一部を削除したものである。
　すなわち、前記２．（３）での補正発明と引用発明との対比の項を参照すれば、補正発明から上記相違点１及び２に係る構成を削除したものに相当する。
　したがって、本願発明１は、その出願前日本国内において頒布された刊行物(引用文献１)に記載された発明であるといえる。
　　　　　　　　　　
（３）むすび
　以上、本願発明１は、特許法第２９条第１項第３号に該当し、特許を受けることができないものであり、請求項２、３に係る発明について検討するまでもなく、本願は、拒絶されるべきものである。
　よって、結論のとおり審決する。